(57)【特許請求の範囲】
【請求項１】
遊技球を遊技可能な第１の遊技盤と、
第１の遊技盤に対する遊技球の位置を検出可能な位置検出手段と、
第１の遊技盤に重なり合うことなく第１の遊技盤の全てを表示可能となっており、位置検出手段によって検出された遊技球を表示された第１の遊技盤で遊技しているように映す表示手段と、
表示手段によって映された第１の遊技盤および／または遊技球に演出を施す制御手段と、を備えている遊技機。
【請求項２】
請求項１に記載の遊技機であって、
大当たりの抽選を実施可能な大当抽選手段と、を備え、
演出は、大当抽選手段による抽選結果に基づいて施される遊技機。
【発明の詳細な説明】
【技術分野】
【０００１】
本発明は、遊技機に関する。
【背景技術】
【０００２】
従来、パチンコ機等の遊技機において、その遊技盤に各種の工夫が施されたものが既に知られている。ここで、下記特許文献１には、各種の工夫の一つとして、遊技盤に可動役物（可動する役物）が組み付けられた遊技機が開示されている。これにより、大当たりの抽選の結果を表示するデジタル表示と可動役物の動きとを絡めることができるため、遊技の演出効果を高めることができる。したがって、遊技の興趣性を高めることができる。
【先行技術文献】
【特許文献】
【０００３】
【特許文献１】特開２０１５−２１１８６１号公報
【発明の概要】
【発明が解決しようとする課題】
【０００４】
しかしながら、上述した特許文献１の技術では、可動役物は、その可動部位が遊技球を遮る（遊技球に対する遊技者の視線を遮る）ことがないように構成されている。そのため、可動役物の可動領域を抑えなければいけないことがあった。したがって、遊技の趣向性をより高めることに限界が生じていた。結果として、遊技の趣向性をより高めるができなかった。
【０００５】
本発明は、このような課題を解決しようとするもので、その目的は、遊技の趣向性をより高めることができる遊技機を提供することである。
【課題を解決するための手段】
【０００６】
本発明は、上記の目的を達成するためのものであって、以下のように構成されている。
請求項１に記載の発明は、遊技球を遊技可能な第１の遊技盤と、第１の遊技盤に対する遊技球の位置を検出可能な位置検出手段と、第１の遊技盤に重なり合うことなく第１の遊技盤の全てを表示可能となっており、位置検出手段によって検出された遊技球を表示された第１の遊技盤で遊技しているように映す表示手段と、表示手段によって映された第１の遊技盤および／または遊技球に演出を施す制御手段とを備えている遊技機である。
【０００７】
請求項１の発明によれば、例えば、表示手段によって映された遊技球に対してのみ演出（エフェクト）を施すことができる。このように遊技球そのものに演出を施すことができるため、遊技の趣向性をより高めることができる。
【０００８】
また、請求項に２記載の発明は、請求項１記載の遊技機であって、大当たりの抽選を実施可能な大当抽選手段とを備えた遊技機である。演出は、大当抽選手段による抽選結果に基づいて施される。
【０００９】
請求項２の発明によれば、大当たりの抽選結果に基づいた演出（エフェクト）を施すことができるため、遊技の趣向性をさらに高めることができる。
【図面の簡単な説明】
【００１２】
【図１】実施例１に係るパチンコ機の正面図である。
【図２】図１のパチンコ機の側面図である。
【図３】図１のパチンコ機の斜視図である。
【図４】図３のパチンコ機の分解図である。
【図５】図１のパチンコ機の電気的構成を示すブロック図である。
【図６】図１のパチンコ機の動作の一例（第１の動作）における遊技盤の状態を示す図である。
【図７】図５の状態において、液晶表示装置の状態を示す図である。
【図８】図１のパチンコ機の動作の他の例（第２の動作）における遊技盤の状態を示す図である。
【図９】図８の状態において、液晶表示装置の状態を示す図である。
【図１０】図１のパチンコ機の動作の他の例（第３の動作）における遊技盤の状態を示す図である。
【図１１】図１０の状態において、液晶表示装置の状態を示す図である。
【図１２】実施例２に係るパチンコ機の側面図である。
【図１３】実施例３に係るパチンコ機の側面図である。
【図１４】実施例４に係るパチンコ機の側面図である。
【図１５】実施例５に係るパチンコ機の正面図である。
【図１６】図１５の側面図である。
【発明を実施するための形態】
【００１３】
以下、本発明を実施するための形態を、図面を用いて説明する。
（実施例１）
まず、図１〜１１を参照して、本発明の実施例１に係る遊技機１の全体構成を説明する。なお、遊技機１の例としてパチンコ機１を説明することとする。
【００１４】
パチンコ機１は、図１〜４に示すように、主として、パチンコホールにおける遊技島のベース（いずれも図示しない）に組み付けられる外枠２と、この外枠２に対して開閉可能にヒンジ結合される前枠３と、から構成されている。この図４からも明らかなように、前枠３は、下部３ａと、この下部３ａの上側の上部３ｂとから構成されている。この上部３ｂは、下部３ａに対して前側（遊技者側）に張り出した格好となっている。これにより、パチンコホールに備え付けられており、本日の大当回数等を個々に表示するデータ表示機（いずれも図示しない）にパチンコ機１が干渉することを防止できる。
【００１５】
この前枠３の下部３ａには、液晶表示装置６が組み付けられている。この液晶表示装置６が、特許請求の範囲に記載の「表示手段」に相当する。また、この前枠３の上部３ｂには、遊技球Ｐを遊技可能な遊技盤４が組み付けられている。この遊技盤４が、特許請求の範囲に記載の「第１の遊技盤」に相当する。この遊技盤４の遊技領域４ａの左上には、第１のカメラ１０が組み付けられている。
【００１６】
これと同様に、この遊技盤４の遊技領域４ａの左下には、第２のカメラ１２が組み付けられている。また、これと同様に、この遊技盤４の遊技領域４ａの右上には、第３のカメラ１４が組み付けられている。また、これと同様に、この遊技盤４の遊技領域４ａの右下には、第４のカメラ１６が組み付けられている。これら各カメラ１０、１２、１４、１６により、遊技盤４に対する遊技球Ｐの位置を撮影できる。このようにカメラ１０、１２、１４、１６が４台あることにより、撮影の精度を高めることができる。これら各カメラ１０、１２、１４、１６が、特許請求の範囲に記載の位置検出手段に相当する。
【００１７】
また、この遊技盤４の遊技領域４ａには、大当の抽選のトリガー（起点）となる入賞センサ４ｂを有する入賞口４ｃが設けられている。この入賞口４ｃに遊技球Ｐが入賞すると、大当の抽選が行われると共に、所定の数量（例えば、３個）の遊技球Ｐが払い出される。この遊技盤４の背面側には、演出装置５が組み付けられている。この演出装置５の内部には、制御装置２０が組み付けられている。この制御装置２０が、特許請求の範囲に記載の「制御手段、大当抽選手段」に相当する。
【００１８】
前枠３は、このように構成されている。このように構成されている前枠３は、上述したように外枠２対して開閉可能にヒンジ結合されている。なお、この外枠２の背面側には、背面カバー２ａが組み付けられている。これら外枠２と、前枠３とからパチンコ機１は構成されている。
【００１９】
次に、図５を参照して、パチンコ機１の電気的構成を説明する。各カメラ１０、１２、１４、１６は、制御装置２０に対して電気的に接続されている。これにより、制御装置２０は、遊技盤４に対する遊技球Ｐの位置を検出できる。また、入賞センサ４ｂも、制御装置２０に対して電気的に接続されている。これにより、制御装置２０は、大当たりの抽選を実施できる。また、液晶表示装置６も、制御装置２０に対して電気的に接続されている。この液晶表示装置６は、遊技盤４を表示可能となっている。
【００２０】
これにより、各カメラ１０、１２、１４、１６によって検出された遊技球Ｐを表示された遊技盤４（液晶表示装置６）で遊技しているように映すことができる。すなわち、遊技盤４と同じ状態を液晶表示装置６に映すことができる。そのため、遊技者（図示しない）は、遊技球Ｐを遊技盤４で遊技していても、それと同じものを液晶表示装置６で見ることができる。したがって、遊技者は、遊技盤４を見なくても液晶表示装置６を見て遊技できる。
【００２１】
続いて、図６〜１１を参照して、上述したパチンコ機１の動作例を説明する。この動作例として、第１の動作と、第２の動作と、第３の動作とを個別に説明する。まず、図６〜７を参照して、第１の動作から説明する。第１の動作は、上述したように、遊技盤４と同じ状態を液晶表示装置６に映した動作のことである。
【００２２】
そのため、図６と７との比較からも明らかなように、遊技盤４における遊技球Ｐの位置と、液晶表示装置６で映される遊技球Ｐ１の位置は同じである。このとき、例えば、図７に示すように、発射装置（図示しない）から発射される遊技球Ｐ（図７において、遊技球Ｐ１）の狙い場所を液晶表示装置６に表記できる。これにより、遊技者に対して遊技の案内をできる。
【００２３】
次に、図８〜９を参照して、第２の動作を説明する。第２の動作は、遊技盤４における所定の時間だけ前（例えば、０．５秒前）の状態を液晶表示装置６に映した動作のことである。そのため、液晶表示装置６で映される遊技球Ｐ１の位置は、遊技盤４における遊技球Ｐの位置より所定の時間だけ前（例えば、０．５秒前）の状態である。
【００２４】
このような状態になっていると、遊技盤４において、大当たりの抽選で使用した遊技球Ｐａは、未だ、液晶表示装置６で遊技球Ｐ１ａとして表示された状態（目視可能な状態）となっている。そのため、この遊技球Ｐ１ａに対してのみ演出を施すことができる。例えば、図９に示すように、この遊技球Ｐ１ａに対してのみ炎Ｆ１が表記されたエフェクトを施すことができる。このように遊技球Ｐ１ａそのものに大当たりの抽選結果に基づいたエフェクトを施すことができるため、結果として、遊技の趣向性をさらに高めることができる。
【００２５】
最後に、図１０〜１１を参照して、第３の動作を説明する。第３の動作も、上述した第２の動作と同様である。しかし、この第３の動作は、遊技球Ｐ１に対してのみ演出を施すものでなく、液晶表示装置６の全てに対して演出を施すことができる。例えば、図１１に示すように、液晶表示装置６の全てに対して炎Ｆ２が表記されたエフェクトを施すことができる。したがって、第２の動作と同様に、遊技の趣向性をより高めることができる。
【００２６】
（実施例２）
次に、図１２を参照して、実施例２のパチンコ機１０１を説明する。なお、以下の説明にあたって、実施例１で説明した部材と同一または均等な部材には、図面において同一の符号を付すことで重複する説明は省略することとする、このことは、後述する全ての実施例においても同様である。
【００２７】
この実施例２のパチンコ機１０１は、既に説明した実施例１のパチンコ機１と比較すると、表示手段を異なる機器で実施した形態である。すなわち、実施例１では、表示手段が液晶表示装置６から成っている形態を説明した。しかし、この実施例２では、表示手段がスクリーン１０６とプロジェクター１０６ａとから成っている形態である。なお、この実施例２のパチンコ機１０１でも、実施例１のパチンコ機１と同様の作用効果を得ることができる。
【００２８】
（実施例３）
次に、図１３を参照して、実施例３のパチンコ機２０１を説明する。この実施例３のパチンコ機２０１は、既に説明した実施例１のパチンコ機１と比較すると、さらに、遊技盤２０４を備えた形態である。この遊技盤２０４は、前枠３の下部３ａに組み付けられている。この実施例３のパチンコ機２０１における表示手段である透過タイプの液晶表示装置２０６は、遊技盤２０４の遊技者側に向って配置されている。
【００２９】
そして、各カメラ１０、１２、１４、１６によって検出された遊技球Ｐを遊技盤２０４で遊技しているように映すことができる。この実施例３のパチンコ機２０１では、前枠３の下部３ａにある遊技盤２０４は実物である。そのため、映し出される遊技球Ｐ１が実物の遊技盤２０４で遊技しているように見える。したがって、遊技のリアル感を得ることができる。
【００３０】
（実施例４）
次に、図１４を参照して、実施例４のパチンコ機３０１を説明する。この実施例４のパチンコ機３０１は、既に説明した実施例３のパチンコ機２０１と比較すると、遊技盤２０４にスクリーン１０６を取り付けた形態である。なお、この実施例４のパチンコ機３０１でも、実施例３のパチンコ機２０１と同様の作用効果を得ることができる。また、この実施例４における透過タイプの液晶表示装置２０６は、ガラスであっても構わない。
【００３１】
（実施例５）
最後に、図１５〜１６を参照して、実施例５のパチンコ機４０１を説明する。この実施例５のパチンコ機４０１は、既に説明した実施例１のパチンコ機１と比較すると、可動役物４３０を備えた形態である。この可動役物４３０の前側は、ガラス４３２で覆われている。なお、この実施例５のパチンコ機４０１でも、実施例１のパチンコ機１と同様の作用効果を得ることができる。
【００３２】
また、大当たりの抽選の結果を表示するデジタル表示と可動役物４３０の動き（演出）とを絡めることができるため、遊技の演出効果を高めることができる。また、可動役物４３０は、その可動部位が遊技球Ｐ１を遮っても良いように構成されている。そのため、従来技術とは異なり、可動役物４３０の可動領域を抑える必要がない。したがって、遊技の趣向性をより高めることができる。
【００３３】
上述した内容は、あくまでも本発明の一実施の形態に関するものであって、本発明が上記内容に限定されることを意味するものではない。
【００３４】
実施例１〜５では、位置検出手段の例として、カメラ１０、１２、１４、１６を説明した。しかし、これに限定されるものでなく、位置検出手段として、公知のセンサ（例えば、タッチセンサ、静電センサ等）であっても構わない。
【００３５】
また、実施例１〜５では、カメラ１０、１２、１４、１６が４台である形態を説明した。しかし、これに限定されるものでなく、カメラ１０、１２、１４、１６は台数も何台であっても構わない。また、実施例５では、可動役物４３０を備えた形態を説明した。しかし、これに限定されるものでなく、実施例２〜４でも可動役物４３０を備えても構わない。
【００３６】
また、実施例１〜５では、液晶表示装置６は、前枠３の下部３ａに組み付けられ、遊技盤４は、前枠３の上部３ｂに組み付けられている形態を説明した。しかし、これに限定されるものでなく、液晶表示装置６は、前枠３の上部３ｂに組み付けられ、遊技盤４は、前枠３の下部３ａに組み付けられている形態でも構わない。
【００３７】
また、実施例１〜５では、遊技盤４の遊技領域４ａに各カメラ１０、１２、１４、１６が組み付けられている形態を説明した。しかし、これに限定されるものでなく、遊技盤４の遊技領域４ａの裏側に各カメラ１０、１２、１４、１６が組み付けられている形態でも構わない。その場合、遊技盤４の遊技領域４ａは、遊技球Ｐを撮影するために透明な部材から構成されることとなる。また、その場合、遊技盤４の遊技領域４ａの中心から１台のカメラで撮影しても構わない。
【００３８】
また、実施例２において、プロジェクター１０６ａはスクリーン１０６の前側（遊技者側）に設けられていても構わない。また、実施例１の第２の動作と第３の動作との説明において、大当たりの抽選結果に基づいてエフェクトを施す形態を説明した。しかし、これに限定されるものでなく、大当たりの抽選結果に基づくことなく、任意のタイミングでエフェクトを施す形態でも構わない。このことは、全ての実施例においても同様である。
【符号の説明】
【００３９】
１      パチンコ機（遊技機）
４      遊技盤（第１の遊技盤）
６      液晶表示装置（表示手段）
１０    第１のカメラ（位置検出手段）
１２    第２のカメラ（位置検出手段）
１４    第３のカメラ（位置検出手段）
１６    第４のカメラ（位置検出手段）
２０    制御装置（制御手段、大当抽選手段）
Ｐ      遊技球
【図１】
0006771894.tif 000002
【図２】
0006771894.tif 000003
【図３】
0006771894.tif 000004
【図４】
0006771894.tif 000005
【図５】
0006771894.tif 000006
【図６】
0006771894.tif 000007
【図７】
0006771894.tif 000008
【図８】
0006771894.tif 000009
【図９】
0006771894.tif 000010
【図１０】
0006771894.tif 000011
【図１１】
0006771894.tif 000012
【図１２】
0006771894.tif 000013
【図１３】
0006771894.tif 000014
【図１４】
0006771894.tif 000015
【図１５】
0006771894.tif 000016
【図１６】
0006771894.tif 000017